(57)【要約】      （修正有）【課題】誘導コイルを備えたアプリケータと外部電源とを接続するケーブル回りをシンプルにし、複数の誘導コイルの使い分けを容易にする構成を提供する。【解決手段】複数のアプリケータ２０Ａ〜２０Ｅは、消費電力の異なる誘導コイル４０Ａ〜４０Ｅと、共振コンデンサ５０Ａ〜５０Ｄを備えている。アプリケータ２０Ａ〜２０Ｅのコネクタ部は、外部電源１０の電源用ケーブルのコネクタ部と接続される。電源用ケーブルは、複数のアプリケータ２０Ａ〜２０Ｅの誘導コイル４０Ａ〜４０Ｅのうち、消費電力が最大の誘導コイルの容量に足りる電力を供給可能であり、共振コンデンサ５０Ａ〜５０Ｄは、電源用ケーブルから供給された高周波電流を、各誘導コイル４０Ａ〜４０Ｄの消費電力に応じて調整して供給する。このため、複数のアプリケータ２０Ａ〜２０Ｅに対して、外部電源１０と電源用ケーブルを共通にできる。【選択図】図２
2018018650.tif 000002
【特許請求の範囲】
【請求項１】
誘導コイルを備えた複数のアプリケータと、
前記誘導コイルに高周波電流を供給する外部電源と、
該外部電源と前記アプリケータを接続し、前記外部電源又は前記アプリケータの少なくとも一方と着脱可能な電源用ケーブルと、
前記複数のアプリケータのうち、少なくとも一つ以上のアプリケータに設けられた共振コンデンサと、
を備えており、
前記電源用ケーブルは、
前記複数のアプリケータの誘導コイルのうち、消費電力が最大の誘導コイルに足りる電力を供給可能であって、
前記共振コンデンサは、
該共振コンデンサが設けられているアプリケータの誘導コイルの消費電力に応じて、前記誘導コイルに供給する電力を調整することを特徴とする電磁誘導加熱装置。
【請求項２】
前記アプリケータが、操作用のハンドル又は柄を有することを特徴とする請求項１記載の電磁誘導加熱装置。
【請求項３】
前記複数のアプリケータのうち一つ以上のアプリケータがセンサ手段ないし撮影手段を備えており、
前記電源用ケーブルの一方の端部に設けられた第１のコネクタ部と、
前記アプリケータに設けられており、前記第１のコネクタ部と電気的及び機械的に着脱可能に接続する第２のコネクタ部と、
を備え、
前記第２のコネクタ部は、前記外部電源用の電源用端子と、前記センサ手段ないし撮影手段用の信号用端子を有し、
前記複数のアプリケータは、該アプリケータに設けられた前記センサ手段の種類又は前記撮影手段に応じて、前記第２のコネクタ部の前記信号用端子の位置がそれぞれ異なり、
前記第１のコネクタ部は、前記第２のコネクタ部の電源用端子と接続する電源用端子と、前記複数のアプリケータに設けられたセンサ手段及び撮影手段用の全ての信号用端子に接続する信号用端子を有し、
前記電源用ケーブルは、電源ケーブルと、前記センサ手段及び撮影手段用の全ての信号線を束ねた複合ケーブルであることを特徴とする請求項１又は２記載の電磁誘導加熱装置。
【請求項４】
前記電源用ケーブルの他方の端部に設けられており、前記電源ケーブルに接続する電源用端子と、前記全ての信号線に接続する信号用端子とを有する第３のコネクタ部と、
前記外部電源に設けられており、前記第３のコネクタ部の電源用端子に接続する電源用端子と、前記第３のコネクタ部の全ての信号用端子に接続する信号用端子を有し、前記第３のコネクタ部と機械的・電気的に着脱可能に接続する第４のコネクタ部と、
を備えことを特徴とする請求項３記載の電磁誘導加熱装置。
【請求項５】
前記複数のアプリケータのうち一つ以上のアプリケータがセンサ手段ないし撮影手段を備えており、
前記電源用ケーブルが、前記複数のアプリケータ毎に設けられており、
前記電源用ケーブルの一端は、前記アプリケータに接続され、
前記電源用ケーブルの他端に設けられた第３のコネクタ部と、
前記外部電源に設けられており、前記第３のコネクタ部と電気的及び機械的に着脱可能に接続する第４のコネクタ部と、
を備え、
前記第３のコネクタ部は、前記外部電源用の電源用端子と、少なくとも前記電源用ケーブルが接続されているアプリケータに設けられた前記センサ手段ないし撮影手段用の信号用端子を有し、
前記第４のコネクタ部は、前記第３のコネクタ部の電源用端子と接続する電源用端子と、前記複数のアプリケータに設けられたセンサ手段及び撮影手段用の全ての信号用端子に接続する信号用端子を有し、
前記複数の電源用ケーブルは、該電源用ケーブルが接続されたアプリケータに設けられたセンサ手段又は撮影手段用の信号線と、電源ケーブルを束ねた複合ケーブルであることを特徴とする請求項１又は２記載の電磁誘導加熱装置。
【請求項６】
請求項３〜５のいずれか一項に記載の電磁誘導加熱装置と、
前記外部電源又は該外部電源とネットワークで接続された端末に設けられており、前記アプリケータから送信された前記センサ手段の検出結果及び前記撮影手段による画像データに基づき、
前記外部電源から前記誘導コイルへの高周波電流の出力制御又は前記アプリケータ側への操作上の指示を行う制御手段と、
を備えたことを特徴とする電磁誘導加熱システム。
【発明の詳細な説明】
【技術分野】
【０００１】
本発明は、電磁誘導加熱装置及び電磁誘導加熱システムに関し、更に具体的には、対象物同士の接着・剥離や加熱加工などを行うための電磁誘導加熱装置及び電磁誘導加熱システムにおけるケーブル接続の改善に関するものである。
【背景技術】
【０００２】
例えば、家屋などを建築する際、化粧材を壁材などに貼り付けて内装仕上げを行うにあたり、下記特許文献１に記載のポータブル式接着装置が利用される。当該特許文献１に記載のポータブル式接着装置は、第１被接着部材と第２被接着部材とを接着剤及び導電性発熱部材を介して接着するポータブル式接着装置であって、作業者により把持される取手部が設けられる接着装置本体と、前記接着装置本体内に組み込まれ、前記導電性発熱部材を電磁誘導加熱により発熱させてこれに接触している前記接着剤を加熱するコイルと前記コイルに接続され前記コイルに対して高周波を供給する高周波発生部とを有することを特徴としている。
【先行技術文献】
【特許文献】
【０００３】
【特許文献１】特開平８−１４３８２５号公報
【発明の概要】
【発明が解決しようとする課題】
【０００４】
しかしながら、前記特許文献１に記載の技術では、加熱対象の形状や面積等に応じて、加熱ヘッドを使い分けるためには、装置自体を複数種類用意しなければならない。仮に、加熱ヘッドの誘導コイル部分を着脱式とし、複数の誘導コイルを用途や加熱材料等に応じて使い分けるとしても、誘導コイルごとに消費する電力が異なるため、それに見合う電力を供給できる電源ケーブルが複数必要になる。このため、ケーブルが増えて絡みやすくなり、持ち運びや作業時の引き回しにも不便である。
【０００５】
本発明は、以上のような点に着目したもので、誘導コイルを備えたアプリケータと外部電源とを接続するケーブル回りをシンプルにし、用途や加熱対象に応じて複数の誘導コイルを簡単に使い分けることができる電磁誘導加熱装置及び電磁誘導加熱システムを提供することを、その目的とする。
【０００６】
他の目的は、前記アプリケータに各種センサや撮影手段を設けた場合にも、同様にケーブル回りの構造をシンプルにし、複数の誘導コイルを簡単に使い分けることである。
【課題を解決するための手段】
【０００７】
本発明の電磁誘導加熱装置は、誘導コイルを備えた複数のアプリケータと、前記誘導コイルに高周波電流を供給する外部電源と、該外部電源と前記アプリケータを接続し、前記外部電源又は前記アプリケータの少なくとも一方と着脱可能な電源用ケーブルと、前記複数のアプリケータのうち、少なくとも一つ以上のアプリケータに設けられた共振コンデンサと、を備えており、前記電源用ケーブルは、前記複数のアプリケータの誘導コイルのうち、消費電力が最大の誘導コイルに足りる電力を供給可能であって、前記共振コンデンサは、該共振コンデンサが設けられているアプリケータの誘導コイルの消費電力に応じて、前記誘導コイルに供給する電力を調整することを特徴とする。主要な形態の一つは、前記アプリケータが、操作用のハンドル又は柄を有することを特徴とする。
【０００８】
他の形態の一つは、前記複数のアプリケータのうち一つ以上のアプリケータがセンサ手段ないし撮影手段を備えており、前記電源用ケーブルの一方の端部に設けられた第１のコネクタ部と、前記アプリケータに設けられており、前記第１のコネクタ部と電気的及び機械的に着脱可能に接続する第２のコネクタ部と、を備え、前記第２のコネクタ部は、前記外部電源用の電源用端子と、前記センサ手段ないし撮影手段用の信号用端子を有し、前記複数のアプリケータは、該アプリケータに設けられた前記センサ手段の種類又は前記撮影手段に応じて、前記第２のコネクタ部の前記信号用端子の位置がそれぞれ異なり、前記第１のコネクタ部は、前記第２のコネクタ部の電源用端子と接続する電源用端子と、前記複数のアプリケータに設けられたセンサ手段及び撮影手段用の全ての信号用端子に接続する信号用端子を有し、前記電源用ケーブルは、電源ケーブルと、前記センサ手段及び撮影手段用の全ての信号線を束ねた複合ケーブルであることを特徴とする。
【０００９】
更に他の形態の一つは、前記電源用ケーブルの他方の端部に設けられており、前記電源ケーブルに接続する電源用端子と、前記全ての信号線に接続する信号用端子とを有する第３のコネクタ部と、前記外部電源に設けられており、前記第３のコネクタ部の電源用端子に接続する電源用端子と、前記第３のコネクタ部の全ての信号用端子に接続する信号用端子を有し、前記第３のコネクタ部と機械的・電気的に着脱可能に接続する第４のコネクタ部と、を備えことを特徴とする。
【００１０】
更に他の形態の一つは、前記複数のアプリケータのうち一つ以上のアプリケータがセンサ手段ないし撮影手段を備えており、前記電源用ケーブルが、前記複数のアプリケータ毎に設けられており、前記電源用ケーブルの一端は、前記アプリケータに接続され、前記電源用ケーブルの他端に設けられた第３のコネクタ部と、前記外部電源に設けられており、前記第３のコネクタ部と電気的及び機械的に着脱可能に接続する第４のコネクタ部と、を備え、前記第３のコネクタ部は、前記外部電源用の電源用端子と、少なくとも前記電源用ケーブルが接続されているアプリケータに設けられた前記センサ手段ないし撮影手段用の信号用端子を有し、前記第４のコネクタ部は、前記第３のコネクタ部の電源用端子と接続する電源用端子と、前記複数のアプリケータに設けられたセンサ手段及び撮影手段用の全ての信号用端子に接続する信号用端子を有し、前記複数の電源用ケーブルは、該電源用ケーブルが接続されたアプリケータに設けられたセンサ手段又は撮影手段用の信号線と、電源ケーブルを束ねた複合ケーブルであることを特徴とする。
【００１１】
本発明の電磁誘導加熱システムは、請求項３〜５のいずれか一項に記載の電磁誘導加熱装置と、前記外部電源又は該外部電源とネットワークで接続された端末に設けられており、前記アプリケータから送信された前記センサ手段の検出結果及び前記撮影手段による画像データに基づき、前記外部電源から前記誘導コイルへの高周波電流の出力制御又は前記アプリケータ側への操作上の指示を行う制御手段と、を備えたことを特徴とする。本発明の前記及び他の目的，特徴，利点は、以下の詳細な説明及び添付図面から明瞭になろう。
【発明の効果】
【００１２】
本発明によれば、誘導コイルを備えた複数のアプリケータと、前記誘導コイルに高周波電流を供給する外部電源と、該外部電源と前記アプリケータを接続し、前記外部電源又は前記アプリケータの少なくとも一方と着脱可能な電源用ケーブルと、前記複数のアプリケータのうち、少なくとも一つ以上のアプリケータに設けられた共振コンデンサと、を備えており、前記電源用ケーブルは、前記複数のアプリケータの誘導コイルのうち、消費電力が最大の誘導コイルに足りる電力を供給可能であって、前記共振コンデンサは、該共振コンデンサが設けられているアプリケータの誘導コイルの消費電力に応じて、前記誘導コイルに供給する電力を調整する。このため、複数のアプリケータに対して外部電源と電源用ケーブルを共通にでき、ケーブル回りをシンプルにし、用途や加熱対象に応じたアプリケータの使い分けが容易となる。
【００１３】
また、複数のアプリケータの少なくとも一つ以上がセンサ手段又は撮影手段を備えるとともに、電源用ケーブルを電源ケーブルと信号線の複合ケーブルとし、電源側の第１のコネクタ部の電源用端子及び信号用端子の配置を、いずれのアプリケータと接続した場合でも、該アプリケータ側の第２のコネクタ側の電源用端子及び信号用端子と接続する配置とした。このため、センサ手段や撮影手段を有するアプリケータであっても、ケーブル回りをシンプルにし、アプリケータの付け替えが容易である。
【図面の簡単な説明】
【００１４】
【図１】本発明の実施例１を示す図であり、(A)は電磁誘導加熱装置のアプリケータ及び外部電源の外観斜視図，(B)はアプリケータの断面図，(C)は使用時の状態を示す図である。
【図２】前記実施例１の電磁誘導加熱装置の回路構成を示す図である。
【図３】前記実施例１のアプリケータの変形例を示す図である。
【図４】前記実施例１の変形例を示す図である。
【図５】本発明の実施例２の電磁誘導加熱装置の全体構成を示すブロック図である。
【図６】前記実施例２の電源側コネクタとアプリケータ側コネクタの端子配置の一例を示す図である。
【図７】前記実施例２のアプリケータの一例を示す図であり、(A)はアプリケータの側面図，(B)は磁界発生ロールの断面図，(C)は前記磁界発生ロールの側面図である。
【図８】本発明の他の実施例を示す図である。
【図９】本発明の他の実施例を示す図である。
【発明を実施するための形態】
【００１５】
以下、本発明を実施するための最良の形態を、実施例に基づいて詳細に説明する。
【実施例１】
【００１６】
最初に、図１〜図４を参照しながら本発明の実施例１を説明する。図１(A)は本実施例の電磁誘導加熱装置のアプリケータ及び外部電源の外観斜視図，図１(B)は前記アプリケータの断面図，図１(C)は使用時の状態を示す図である。図２は、本実施例の電磁誘導加熱装置の回路構成を示す図，図３及び図４は、本実施例の変形例を示す図である。本発明の電磁誘導加熱装置は、加熱による接着，変形などの各種の加熱加工に適用可能であるが、本実施例では、装飾パネルや化粧パネル等、家具・建具・間仕切り・天井・床等の各種建材として用いられる積層パネルの接着に適用した例である。
【００１７】
図１(A)に示すように、本実施例の電磁誘導加熱装置１００は、外部電源１０と、該外部電源１０に対して着脱可能であって、誘導コイルが設けられた複数のアプリケータ２０Ａ，２０Ｂ，２０Ｃ，２０Ｄ，２０Ｅにより構成される。前記外部電源１０は、前記アプリケータ２０Ａ〜２０Ｅに高周波電流を供給するためのものであって、これら複数のアプリケータに設けられた誘導コイルのうち、もっとも消費電力の高い誘導コイルに適した電流を供給することができる。また、前記外部電源１０は、前記アプリケータ２０Ａ〜２０Ｅと接続するための電源用ケーブル１２と、該電源用ケーブル１２の端部に設けられたコネクタ部１４を有している。図示の例では、前記コネクタ部１４は、内側に図示しない一対のオス型の端子を備えたプラグである。また、前記電源用ケーブル１２は、通常、一対の電源ケーブルを１本にまとめてカバー等により被覆されている。
【００１８】
次に、アプリケータ２０Ａ〜２０Ｅについて説明する。基本的な構造は、同様のため、アプリケータ２０Ａを例に挙げて説明すると、アプリケータ２０Ａは、ケース２２の一方の主面２２Ａに操作用の取手２４が設けられており、他方の主面２２Ｂには加熱ヘッド２６が設けられている。該加熱ヘッド２６は、ケース２８が、例えば耐熱性樹脂により形成されており、その内側に、誘導コイル４０Ａが設けられている。図１(A)の例では、前記誘導コイル４０Ａは、平面渦巻き状であって、前記ケース２８の表面３０側であって、加熱対象に接触させる範囲内において形成されている。前記誘導コイル４０Ａの一方の端部４２は、図１(B)に示すようにリード線４６に接続され、他方の端部４４は、リード線４８に接続されている。
【００１９】
そして、これらリード線４６，４８は、前記アプリケータ２０Ａのケース２２内に設けられた共振コンデンサ５０Ａに接続されている。該共振コンデンサ５０Ａは、前記外部電源１０から供給される高周波電流を、前記加熱ヘッド２６内の誘導コイル４０Ａの消費電力に合わせて調節するためのものである。該共振コンデンサ５０Ａは、配線５２，５４によって、前記ケース２２に設けられたアプリケータ側のコネクタ部５６に接続されている。図示の例では、前記コネクタ部５６は、内側に図示しない一対の（メス型）のピンを備えたソケットである。前記外部電源１０側のコネクタ部１４を、前記アプリケータ２０Ａのコネクタ部５６に差し込むことにより、外部電源１０とアプリケータ２０Ａが電気的及び機械的に接続される。なお、図示の例では、外部電源１０側のコネクタ部１４をオス型とし、アプリケータ２０Ａ〜２０Ｅ側のコネクタ部５６をメス型としたが、オス型とメス型を逆にしてもよい（図示せず）。
【００２０】
上述したように、本実施例では、前記外部電源１２と接続して使用するアプリケータ２０Ａ〜２０Ｅが複数用意されている。これら複数のアプリケータ２０Ａ〜２０Ｅは、用途や加工対象物の種類等に応じて適宜使い分けできるように、それぞれが、消費電力の異なる誘導コイル４０Ａ〜４０Ｅを備えている（図２参照）。具体的には、図２に示すように、アプリケータ２０Ａには誘導コイル４０Ａが、アプリケータ２０Ｂには誘導コイル４０Ｂが、アプリケータ２０Ｃには誘導コイル４０Ｃが設けられるという具合である（他のアプリケータ２０Ｄ，２０Ｅについても同様）。
【００２１】
また、本発明では、前記外部電源１０側の電源ケーブル１２は、前記複数のアプリケータ２０Ａ〜２０Ｅの誘導コイル４０Ａ〜４０Ｅのうち、消費電力が最大の誘導コイルに足りる電力を供給可能であって、いずれのアプリケータ２０Ａ〜２０Ｅを使用する場合でも、外部電源１０と電源用ケーブル１２は共通に用いることができる。そのために、本発明では、図２に示すように、前記各アプリケータ２０Ａ〜２０Ｄには、前記誘導コイル４０Ａ〜４０Ｄの消費電力に応じて、前記電源用ケーブル１２から供給された高周波電流を調節し、各誘導コイル４０Ａ〜４０Ｄに供給するための共振コンデンサ５０Ａ〜５０Ｄが設けられている。前記共振コンデンサ５０Ａ〜５０Ｄを各アプリケータ２０Ａ〜２０Ｄに設けることで、これらアプリケータ２０Ａ〜２０Ｄがそれぞれ消費電力の異なる誘導コイル４０Ａ〜４０Ｄを備えている場合であっても、外部電源１０及び電源用ケーブル１２は共通にすることができる。
【００２２】
また、誘導コイルの消費電力によっては、共振コンデンサを含まない構成としてもよい。本実施例では、図２に示すように、アプリケータ２０Ｅは、誘導コイル４０Ｅのみであり、共振コンデンサは接続されていない。なお、図示の例では、５つのアプリケータのうち、一つのアプリケータ２０Ｅのみが共振コイルを含まない構成としたが、複数のアプリケータのうち、少なくとも一つのアプリケータが共振コイルを含むものであればよい。以上の構成とすることにより、前記コネクタ部１４，５６の着脱により、容易にアプリケータを交換でき、かつ、ケーブル回りの構造をシンプルにすることができる。
【００２３】
次に、図１(C)も参照して、本実施例の作用を説明する。なお、アプリケータ２０Ａ〜２０Ｅのうち、使用するアプリケータ（図１(C)の例では、アプリケータ２０Ａ）のコネクタ部５６に、外部電源側のコネクタ部１４を差し込み、外部電源１０とアプリケータ２０Ａを電気的・機械的に接続しておく。図１(C)に示す例は、金属板６０と樹脂板６２を接着剤６４によって接着する例である。前記外部電源１０からアプリケータ２０Ａの誘導コイル４０Ａに高周波電流を流すと強力な磁場が発生するので、その近くに配置された金属は、電磁誘導により渦電流が発生し、抵抗により金属が発熱する。この原理は、電磁誘導加熱として公知である。
【００２４】
本実施例では、前記誘導コイル４０Ａに電流を流した状態で、加熱ヘッド２６の表面２６Ａが図１(C)に示すように、金属板６０に接触させることにより、電磁誘導によって金属板６０が発熱する。すると、発熱した金属板６０により、接着剤６４が加熱されるため、前記金属板６０と樹脂板６２が接着される。アプリケータ２０Ａを他のアプリケータ２０Ｂ〜２０Ｅと交換するときには、アプリケータ側のコネクタ部５６から、電源用ケーブル１２のコネクタ部１４を抜き、付け替えるアプリケータに接続すればよい。なお、図示の例は、金属板６０が加熱ヘッド２６側に配置されている場合であるが、樹脂板６２の厚みによっては、樹脂板６２と金属板６０の配置が逆であっても、同様の効果を得ることができる。
【００２５】
このように、実施例１によれば、複数のアプリケータ２０Ａ〜２０Ｅが、それぞれ消費電力の異なる誘導コイル４０Ａ〜４０Ｅと、共振コンデンサ５０Ａ〜５０Ｄを備えており、前記アプリケータ２０Ａ〜２０Ｅは、コネクタ部５６によって、外部電源１０の電源用ケーブル１２の端部に設けられたコネクタ部１４と電気的及び機械的に接続される。そして、前記外部電源１０の電源用ケーブル１２は、前記複数のアプリケータ２０Ａ〜２０Ｅの誘導コイル４０Ａ〜４０Ｅのうち、消費電力が最大の誘導コイルの容量に足りる電力を供給可能であって、前記複数のアプリケータ２０Ａ〜２０Ｄの各共振コンデンサ５０Ａ〜５０Ｄは、前記電源用ケーブル１２から供給された高周波電流を、各誘導コイル４０Ａ〜４０Ｄの消費電力に応じて調整して、前記誘導コイル４０Ａ〜４０Ｄに供給することとした。このため、複数のアプリケータ２０Ａ〜２０Ｅを使い分ける場合でも、これらと接続する外部電源１０及び電源用ケーブル１２は共通でよいため、ケーブル回りをシンプルにし、用途や加熱対象に応じて複数のアプリケータ２０Ａ〜２０Ｅを柔軟に使い分けることができる。また、作業時の引き回しもよいという効果がある。
【００２６】
＜変形例＞・・・次に、本実施例の変形例を説明する。前記実施例では、図１に示すように、アプリケータのケース２２に対して加熱ヘッド２６が別構成となっていたが、これも一例であり、図３(A)に示すアプリケータ７０のように、ケース７２内に誘導コイル７４と共振コンデンサ７６を設け、前記ケース７２自体を耐熱性樹脂製とするようにしてもよい。また、図１及び図２の例では、加熱ヘッド２６の表面２６Ａの全体が平面形状であったが、これも一例であり、例えば、図３(B-1)に示す加熱ヘッド８０のように、ケース８２の底面８４から側面８８にかけてテーパ８６を設けた形状としてもよい。あるいは、図３(B-2)に示す加熱ヘッド９０のように、ケース９２の底面９４から側面９８にかけて緩やかな曲面９６を設けるようにしてもよい。また、加熱ヘッド９０のように、加熱対象に接触させる部分を肉厚に形成するようにしてもよい。そして、これらの各種形態のアプリケータや加熱ヘッドを、前記図１及び図２で示した形態のアプリケータと付け替えるようにしてもよい。
【００２７】
次に、図４(A)に示す変形例について説明する。図１に示した例では、前記加熱ヘッド２６の表面２６Ａ側を直に加熱対象である金属板６０に接触させることとしたが、接触時間が長くなる場合には、加熱ヘッド２６のケース２８自体も加熱によって変形するおそれがある。そこで、図４(A)に示すように、ケース表面２６Ａに適宜間隔でスペーサ３２を設け、加熱ヘッド２６の表面２６Ａが直に金属板６０に接触しないようにする。あるいは、必要に応じて、前記スペーサ３２の先端に、耐熱性樹脂からなる樹脂板３４を設けるようにしてもよい。
【００２８】
次に、図４(B)〜(D)に示す変形例について説明する。上述した図１(C)及び図４(A)に示す例では、加熱対象側に設けられた金属板を誘導加熱により発熱させることで、他の部材（樹脂板６２）との接着を可能としたが、図４(B)〜(D)に示す構造とすることによって、加熱対象側に金属板がなくても、樹脂板同士や、樹脂板とベニヤ板等の接着が可能となる。まず、図４(B)に示す例は、加熱ヘッド２６の表面２６Ａ側に、スペーサ３２を介して金属板６６を設けた例である。誘導コイル４０Ａに電流を流すと、前記金属板６６が発熱するため、該金属板６６を樹脂板６８に接触させることにより、樹脂板６８を介して接着剤６５が加熱され、樹脂板６８，６２が接着される。また、加熱ヘッド２６側では、金属板６６が発熱するが、加熱ヘッド表面２６Ａとの間にスペーサ３２が設けられているため、加熱ヘッド２６自体が加熱によって変形することを防止できる。なお、前記樹脂板６２，６８は一例であって、ベニヤ板同士や、樹脂板とベニヤ板，あるいは、石膏ボードと他の建材等を接着する場合にも適用可能である。
【００２９】
図４(C)に示す例は、前記図４(B)に示す例の応用例であって、前記金属板６６を上面に有するキャップ３６を、加熱ヘッド２６に対して着脱可能としたものである。前記キャップ３６の側面３６Ａの内側には、前記加熱ヘッド２６のケース側面に設けた凹部２９に嵌る凸部３８が設けられている。このとき、金属板６６の裏面に、前記スペーサ３２を設けるようにしてもよい。図４(D)に示す例も、前記図４(B)に示す例の応用例である。図４(D)に示す加熱ヘッドは、金属板６６´の表面に凹凸６６Ａを設けた例である。このように、凹凸６６Ａを設けた金属板６６´を加熱によって変形可能な素材に接触させることにより、前記凹凸６６Ａを加熱対象に転写することができる。
【実施例２】
【００３０】
次に、図５〜図７を参照しながら本発明の実施例２を説明する。なお、上述した実施例１と同一ないし対応する構成要素には同一の符号を用いることとする（以下の実施例についても同様）。図５は、本実施例の電磁誘導加熱装置の全体構成を示すブロック図である。図６は、本実施例の電源側コネクタとアプリケータ側コネクタの端子配置の一例を示す図である。図７は、アプリケータの具体例を示す図であり、(A)は側面図，(B)磁界発生ロール断面図，(C)は前記磁界発生ロールの側面図である。上述した実施例１は、消費電力が異なる複数の誘導コイルを使い分けるためのものであって、複数のアプリケータは、それぞれ一つずつの誘導コイルを有する構成としたが、本実施例は、それに加え、前記アプリケータに所望のセンサ手段や撮影手段を設けた例である。
【００３１】
図５に示すように、本実施例の電磁誘導加熱システム２００は、電磁誘導加熱装置２０２と、オペレータ２５０側の端末２５２により構成されている。前記電磁誘導加熱装置２０２は、外部電源２１０と、複数のアプリケータ２２０Ａ〜２２０Ｄとによって構成されている。前記外部電源２１０は、例えば、インターネット２６０等によって前記端末２５２と通信することが可能となっている。前記端末２５２には、制御部２５４，表示部２５６，入力部２５８等が設けられている。
【００３２】
前記外部電源２１０は、前記複数のアプリケータ２２０Ａ〜２２０Ｄに設けられた誘導コイル２２８Ａ〜２２８Ｄに高周波電流を供給するもので、電源用ケーブル２１２の先端にはコネクタ部２１６が設けられている。前記電源用ケーブル２１２は、本実施例では、２本の電源ケーブルｃａ，ｃａ´と、４本の信号線ｃｂ，ｃｄ，ｃｄ，ｃｅを１本に束ねた複合ケーブルであって、表面は被膜２１４等によってカバーされている。前記外部電源２１０は、前記複数のアプリケータ２２０Ａ〜２２０Ｄに設けられた誘導コイル２２８Ａ〜２２８Ｄのうち、もっとも消費電力の高い誘導コイルに足りる高周波電流を供給することができる。
【００３３】
前記コネクタ部２１６は、図示の例では、内側に６つのオス型端子を備えたプラグである。前記コネクタ部２１６を図５に矢印Ｆ５ａで示す方向に見ると、図６に示すように、６つの端子のうちの中央の二つは、前記電源ケーブルｃａ，ｃａ´と接続する電源用端子ｔａ，ｔａ´、他の４つは、前記信号用ケーブルｃｂ〜ｃｅと接続する信号用端子ｔｂ〜ｔｄである。
【００３４】
次に、アプリケータ２２０Ａ〜２２０Ｄについて説明する。基本的な構造は同様のため、アプリケータ２２０Ａを例に挙げて説明する。また、アプリケータの具体的な形態については後述する。前記アプリケータ２２０Ａは、ケース２２２に、電源ボタン２２４，メモリ２２６，誘導コイル２２８Ａ，共振コンデンサ２３０Ａ，対象物センサ２３２，コネクタ部２４０Ａを備えている。前記共振コンデンサ２３０Ａによって、前記誘導コイル２２８Ａの消費電力に応じて調整されたうえで、前記誘導コイル２２８Ａに電力が供給される。
【００３５】
前記電源ボタン２２４は、前記共振コンデンサ２４０Ａ及び誘導コイル２２８Ａへの通電のＯＮ／ＯＦＦをアプリケータ側で切り替えるためのものである。前記対象物センサ２３２は、例えば、加熱対象物の有無を検知するものである。該対象物センサ２３２の検出結果は、前記メモリ２２６に格納してもよいし、前記外部電源２１０やオペレータ２５０側の端末２５２に送るようにしてもよい。
【００３６】
前記コネクタ部２４０Ａは、図示の例では、内側の６つのメス型端子を備えたソケットである。前記コネクタ部２４０Ａを、図５に矢印Ｆ５ｂで示す方向に見ると、図６に示すように、電源用端子Ｔａ，Ｔａ´は、中央に配置されており、コネクタ部２４０Ａの右端に、信号用端子Ｔｃが配置されている。一方、前記電源側のコネクタ部２１６においては、図６に示すように、一対の電源用の端子ｔａ，ｔａ´は中央に配置されており、対象物センサ用の信号線ｃｃと接続する信号用端子ｔｃは、右端に配置されている。このため、前記アプリケータ２２０Ａのコネクタ部２４０Ａに、外部電源２１０のコネクタ部２１６を差し込むだけで、電源ケーブルｃａ，ｃａ´と対象物センサ２３２用の信号用ケーブルｃｃを、アプリケータ２２０Ａと接続することができる。
【００３７】
他のアプリケータ２２０Ｂ〜２２０Ｄについても、基本的に同様の構成となっており、アプリケータ２２０Ｂでは温度センサ２３４を搭載し、アプリケータ２２０Ｃではカメラ２３６を搭載し、アプリケータ２２４Ｄでは、センサやカメラを搭載していないという点と、これらの搭載の有無に応じてコネクタ部２４０Ｂ〜２４０Ｄ内の端子の配置が異なる点のみが異なる。ただし、本発明では、いずれのアプリケータのコネクタ部２４０Ａ〜２４０Ｄに、前記外部電源２１０のコネクタ部２１６を接続しても、電力の供給及び信号の伝達が可能となるように、アプリケータ側の端子配置と、外部電極側の端子配置が設定されている。
【００３８】
例えば、図６に示す例では、外部電源２１０のコネクタ部２１６の端子配列は、中央の一対が電源用端子ｔａ，ｔｂ、左端の端子が前記対象物センサ２３２用の信号用端子ｔｃ，左側から２番目の端子が、温度センサ２３４用の信号用端子ｔｂ，右端の端子が前記カメラ２３６用の信号用端子ｔｅ，右から２番目の端子が、図示しない他のセンサ用の信号用端子ｔｄである。そして、前記アプリケータ２２０Ｂには、搭載した温度センサ２３４用の端子Ｔｂが、図６に示すように、右から２番目の位置に配置され、前記コネクタ部２４０Ｂに前記外部電源２１０のコネクタ部２１６を接続することで、電源用端子と温度センサ用の信号用端子が同時に接続される。
【００３９】
同様に、前記カメラ２３６を搭載したアプリケータ２３０Ｃのコネクタ部２４０Ｃには、図６に示すように、左端にカメラ用の信号用端子Ｔｅが配置されており、前記コネクタ部２４０Ｃと前記外部電源２１０側のコネクタ部２１６の接続により、電源用端子とカメラ用端子が接続される。前記アプリケータ２２０Ｄは、センサやカメラは搭載していないため、図６に示すように、コネクタ部２４０Ｄには、中央に電源用端子Ｔａ，Ｔａ´が配置されているのみであり、前記外部電源側のコネクタ部２１６との接続により電力の供給が可能となる。
【００４０】
＜具体例＞・・・図７には、前記アプリケータ２２０Ａ〜２２０Ｄとして利用可能なアプリケータの具体的な形態の一例が示されている。図７(A)はアプリケータの側面図，図７(B)は磁界発生ロールの断面図，図７(C)は磁界発生ロールの側面図である。同図に示すように、アプリケータ３００は、ケース３０２の上面３０２Ａに、取手３０４と電源ボタン３０６が設けられており、前記ケース３０２の内部に、誘導コイルを備えた磁界発生ロール３１０Ａ，３１０Ｂと、該磁界発生ロール３１０Ａ，３１０Ｂに供給する電力を調整する共振コンデンサ３２０Ａ，３２０Ｂが設けられている。このほか、アプリケータ３００には、必要に応じて、対象物センサ２３２，温度センサ２３４，カメラ２３６が必要に応じて設けられる。そして、前記ケース３０２の後部には、前記外部電源２１０のコネクタ部２１６と接続するコネクタ部２４０が形成されている。該コネクタ部３３０は、電源用の一対の端子部のほか、前記対象物センサ２３２，温度センサ２３４，カメラ２３６のうち、搭載した装備に応じて、それらの信号用端子が、外部電源２１０側の端子部の位置と合うように配置されている。
【００４１】
前記アプリケータ３００の内側には、磁界発生ロール３１０Ａ，３１０Ｂの軸３１４が回転可能かつ昇降可能に支持されている。前記磁界発生ロール３１０Ａ，３１０Ｂは、図７(B)に示すように、略円柱状の回転ロール３１２の表面に、複数の誘導コイル３１８を設けた構造となっている。前記アプリケータ３００のケース３０２の内側上部には、前記誘導コイル３１８から発生する電磁波の拡散を防止するためのフェライト板３１９等が必要に応じて設けられている。図７(B)に示す例では、前記回転ロール３１２の表面に、前記軸３１４の円周方向に略等間隔で複数設けられた突起３１６を中心に、平面渦巻状に誘導コイル３１８が形成されている。このような磁界発生ロール３１０Ａ，３１０Ｂの表面は、前記誘導コイル３１８が直に加熱対象に接触しないように耐熱性シート３２２等により覆われている。
【００４２】
また、図７(C)に示す磁界発生ロール３１０Ｃのように、回転ロール３１２の表面に、複数個の誘導コイル３１８を並べた列を、複数列設けるようにしてもよい。なお、前記誘導コイル３１８と回転ロール３１２の間にも、図７(B)に示すように、安全対策と電磁波の遮蔽を兼ねてフェライト３２４等を設けるようにしてもよい。前記磁界発生ロール３１０Ａ，３１０Ｂは、その両端面に設けられた軸３１４を、前記ケース３０２の側面３０２Ｂ，３０２Ｃ（３０２Ｃは図示せず）に形成した長穴３０８に収納することにより、回転可能かつ上下動可能にケース３０２の内側に支持される。
【００４３】
前記アプリケータ３００の内部の後方（図７(A)の右側）には、前記磁界発生ロール３１０Ａ，３１０Ｂによって加熱された対象物に対し、圧着処理を施すための圧着ローラ３４０が設けられている。該圧着ローラ３４０は、前記ケース３０２の一対の側面３０２Ｂ，３０２Ｃ間にわたって設けられており、その両端面に設けられた軸３４４を、前記側面３０２Ｂ，３０２Ｃに設けられた長穴３５０に収納することで、回転可能かつ上下動可能に支持される。なお、図７(A)に示すように、前記長穴３５０に前記軸３４４を付勢するスプリング３５２を設けるか、あるいは、前記ケース３０２の内部に前記軸３４４を付勢するスプリング３５４を設けることで、対象物に凹凸面があっても圧着が可能となる。以上のような圧着ローラ３４０は、必要に応じて設ければよく、着脱可能な構成としてもよい。
【００４４】
更に、前記アプリケータ３００は、図７(A)に示すように、必要に応じて、対象物センサ２３２，温度センサ２３４，カメラ２３６を備えている。まず、前記対象物センサ２３２は、前記アプリケータ３００を当接させる対象物（図示の例では対象物３６０）側に、発熱導体があるかどうか、ある場合にはその種類及び位置（深さ）を検出する非接触のセンサである。本実施例では、前記対象物センサ２３２として、電波を対象物に向けて発信し、該対象物による反射波を受信するセンサを利用している。そして、対象物センサ２３２による検知結果は、前記コネクタ部の結合により外部電源２１０側へ送られ、更に、本実施例では、オペレータ２５０の端末２５２に送られる。そして、該端末２５２の制御部２５４では、前記対象物センサ２３２による検出結果に応じた最適な加熱条件となるように、前記誘導コイル３１８へ供給する高周波電流の出力を制御する。
【００４５】
ここで、最適な加熱条件とは、例えば、前記誘導コイル３１８に供給する高周波電流の電流値，周波数，通電時間等である。具体的には、前記アプリケータ３００を対象物３６０に置いたときに、該対象物３６０に向けて電波を発信し、反射波を受信して、発熱導体（図示の例では、金属層３６６）があるかどうか、ある場合には、磁界発生ロール３１０Ａ，３１０Ｂからどの程度の深さにあるかを検知して最適な周波数に調整する，電波を発信して金属の種類を特定し、その発熱量を計算して、通電時間を制御するという具合である。なお、以上のように算出された加熱条件の最適値は、必要に応じて前記メモリ２２６に保存してもよいし、外部電源２１０や端末２５２の図示しないメモリに記録してもよい。
【００４６】
前記温度センサ２３４は、前記対象物センサ２３２の検知結果に基づいて算出された最適な加熱条件を修正するためのもので、前記制御部２５４は、前記温度センサ２３４からの出力が所定の温度になったかどうかをモニターし、前記最適な加熱条件を修正する。すなわち、計算値にフィードバックをかけることで、より適切な加熱制御を行うことができる。
【００４７】
前記カメラ２３６は、アプリケータ３００の近傍，例えば、前記磁界発生ロール３１０Ａ，３１０Ｂが当接している部位の画像を撮影するものであり、撮影された画像データは、必要に応じて前記メモリ２２６に格納される。また、必要に応じて、前記当接部位の画像データは、外部電源２１０やオペレータ２５０側の端末２５２に送信して保存したり、前記端末２５２の表示部２５６に表示したりしてもよい。そして、前記オペレータ２５０が、前記表示部２５６に表示された画像を見ながら、例えば、「周波数をもう少しあげろ」などの指示を前記制御部２５４に送り、外部電源２１０から磁界発生ロール３１０Ａ，３１０Ｂに供給する高周波電流の出力を制御するようにしてもよい。いずれにしても、アプリケータ３００で取得した画像やセンサの出力結果をオペレータ側に送ることで、過去の作業で培った経験等に基づく指示を取り入れて、より確実な作業をすることができる。なお、前記カメラ２３６に基づく撮影は、誘導コイル３１８へ通電している間は自動的に行うようにしてもよいし、図示しない撮影ボタン等により作業者が任意に行うようにしてもよい。
【００４８】
次に、前記アプリケータ３００を用いたときの、本実施例の作用を説明する。図７(A)に示すように、対象物３６０，３６２を、金属層３６６を有する接着剤３６４を挟んで重ね、例えば、前記対象物３６０の表面に、前記アプリケータ３００を当てる。そして、電源ボタン３０６を押して前記対象物センサ２３２から、前記対象物３６０に向けて電波を発信し、上述したように、前記オペレータ２５０側の端末２５２で最適な加熱条件を計算し、該計算結果に基づいて、前記外部電源２１０から前記磁界発生ロール３１０Ａ，３１０Ｂの誘導コイル３１８へ供給する高周波電流の出力を調整する。
【００４９】
前記誘導コイル３１８に電流が供給されると、前記接着剤３６４中の金属層３６６が発熱し、前記接着剤３６４が加熱されて、加熱された接着剤３６４が溶けた状態で、前記対象物３６０が前記圧着ローラ３４０によって対象物３６２に向けて押し付けられる。これにより、加熱から圧着までの工程を連続して行うことができる。なお、本実施例では、前記対象物センサ２３２による検知結果に基づいて高周波電流の出力を制御する際に、前記温度センサ２３４の出力に基づいてフィードバックをかける。また、前記端末２５２から、加熱条件等について指示があった場合には、当該指示を再生し、あるいは、当該指示に基づいて加熱条件の修正を行う。
【００５０】
このように、実施例２によれば、外部電源２１０の電源用ケーブル２１２を、電源ケーブルと信号線の複合ケーブルとし、外部電源側のコネクタ部２１６の電源用端子及び信号用端子の配置を、複数のアプリケータ２２０Ａ〜２２０Ｄのうちのいずれのアプリケータのコネクタ部２４０Ａ〜２４０Ｄと接続したときでも、アプリケータ側のコネクタ部の電源用端子及び信号用端子と接続可能な配置とした。このため、上述した実施例１の効果に加え、センサやカメラを搭載したアプリケータであっても、ケーブル回りの構造をシンプルにし、かつ、複数のアプリケータを簡単に使い分けることができる。また、アプリケータ２２０Ａ〜２２０Ｄ側に、各種センサやカメラ等を設けて、その出力信号等を外部に送信し、検出結果に応じた加熱条件の設定・修正等を指示することも可能となる。
【００５１】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法も一例であり、必要に応じて適宜変更してよい。例えば、前記実施例１で示した加熱ヘッド２６の形状及び寸法も一例であり、必要に応じて適宜変更してよい。例えば、前記実施例１では円形としたが、直方体状の加熱ヘッドとしてもよい。直方体状の加熱ヘッド（やアプリケータ）の場合は、内部に設ける誘導コイルとして、後述する図３(D-1)〜(D-3)に示す誘導コイル１１０Ａ〜１１０Ｃを設けるようにしてもよい。
(2)前記実施例で示したコネクタ部も一例であり、同様の効果を奏する範囲内で適宜設計変更可能である。たとえば、前記実施例１では、外部電源側をプラグとし、アプリケータ側をソケットとしたが逆であってもよい。また、端子のオスとメスを逆にしてもよいし、オス・メス以外の接続形態を利用してもよい。
(3)前記実施例で示したアプリケータの数も一例であり、２０〜３０個のアプリケータを使い分けるようにするなど、必要に応じて適宜増減してよい。
【００５２】
(4)前記実施例１で示した平面渦巻状の誘導コイル４０Ａ〜４０Ｅも一例であり、同様の効果を奏する範囲内で適宜変更可能である。例えば、図３(D-1)に示す誘導コイル１１０Ａは、直方体状のコア１１２Ａに巻線１１４を巻回した構造となっている。また、図３(D-2)に示す誘導コイル１１０Ｂは、略コ字状のコア１１２Ｂに巻線１１４が巻き付けられた形状であり、図３(D-3)に示す誘導コイル１１０Ｃは、略Ｅ字状のコア１１２Ｃに巻線１１４が巻き付けられた形状である。このほかに、平面状コイルをアプリケータや加熱ヘッド内に複数備えるような構成としてもよい。
【００５３】
例えば、図９に示すアプリケータ４００は、ケース４０２の上面４０２Ａに取手４０４が設けられ、底面４０２Ｂの内側には、平面渦巻状の誘導コイル４０６Ａ，４０６Ｂが設けられている（共振コンデンサは図示を省略している）。また、ケース４０２には、側面４０２Ｃ，４０２Ｄに軸４１２によって回転可能に支持された駆動ローラ４１０が設けられている。該駆動ローラ４１０は、前記底面４０２Ｂの一端側（図９の例では右側）に形成された開口部４０８に配置されている。また、前記軸４１２は、ケース４０２の側面４０２Ｃ，４０２Ｄに形成された長穴４１４に支持されており、加熱対象に対して押し付け可能となっている。前記駆動ローラ４１０を加熱対象に押し付けることで、図示しないモータ等により駆動ローラ４１０が回転して、例えば、図９に矢印Ｆ９で示す方向にアプリケータ４００が自走する。手作業による加熱の場合、作業者によりアプリケータを滑らせる速度が異なり、加熱ムラが生じることがあるが、このように駆動ローラ４１０を設けて自走させることにより、加熱ムラを抑制して加熱の均一化を図ることができる。また、前記アプリケータ４００では、２つの誘導コイル４０６Ａ，４０６Ｂを設けることとしたが、１つの誘導コイルとしてもよいし、３つ以上の誘導コイルを設けてもよい。更に、誘導コイルの数や消費電力に応じて、共振コンデンサを必要に応じて一つ以上設けるようにしてよい。
【００５４】
(5)本発明で用いる外部電源としては、固定型電源であってもよいし、前記実施例１で示したような携帯型電源であってもよい。
【００５５】
(6)前記実施例では、アプリケータのケースに加熱ヘッドを固定することとしたが、これも一例であり、消費電力が同じ他の誘導コイルを備えた加熱ヘッドをアプリケータに対して着脱可能な構成とすることで、更に使用範囲を広げることができる。
(7)前記実施例１では、加熱対象側の金属板６０を利用して誘導加熱を行うこととしたが、図４(B)〜(D)に示すように、加熱ヘッド２６側に金属板６６，６６´を設けることにより誘導加熱する構成としてもよい。あるいは、接着剤６４が導電性材料を含むものであれば、加熱ヘッド２６側及び接着対象側のいずれにも金属板を設けることなく接着が可能である。また、本発明は、金属板のみならず、木材，合板，樹脂板，タイルの接着などにも利用でき、更に、接着のみならず、変形などの多目的な加工にも適用可能である。
【００５６】
(8)前記実施例２では、図５及び図６に示す例において、一つのアプリケータには、一つのセンサやカメラを設けることとしたが、これも一例であり、一つのアプリケータに複数のセンサやカメラを設けることを妨げるものではなく、電源側コネクタ及びアプリケータ側コネクタの端子の配置を適宜設定することで、上述した実施例２と同様の効果が得られる。また、前記実施例２では、６端子構造を例に挙げたが、これに限定されるものではなく、使用するアプリケータの数や種類に応じて適宜端子数やその配列は変更可能である。
(9)前記実施例で示した回路構成も一例であり、共振コンデンサは直列に配置してもよいし、直並列に配置するようにしてもよい。また、一つのアプリケータに、必要に応じて複数の共振コンデンサを設けるようにしてもよい。
(10)前記実施例２で示した図７のアプリケータ３００も一例であり、同図に示した形態に限定されるものではなく、必要に応じて適宜変更してよい。例えば、前記圧着ローラ３４０は一例であり、該圧着ローラ３４０は必要に応じて設ければよく、用途に応じて着脱できる構成としてもよい。
【００５７】
(11)前記実施例２では、電源ケーブル２１２を外部電源側に固定し、コネクタ部２１６がいずれのアプリケータ２２０Ａ〜２２０Ｄのコネクタ部２４０Ａ〜２４０Ｄにも接続可能な構成としたが、これも一例であり、同様の効果を奏する範囲内で適宜設計変更可能である。例えば、図８(A)に示す例は、アプリケータ側に電源用ケーブルを設けた例であり、アプリケータ２２０Ａ側に電源用ケーブル２１２Ａを設け、その先端に、前記コネクタ部２４０Ａと同様の端子配置のコネクタ部２４０Ａ´を設けている。前記電源用ケーブル２１２Ａは、電源ケーブルｃａ，ｃａ´と、対象物センサ２３２用の信号線ｃｃを束ねた複合ケーブルとなっている。他のアプリケータ２２０Ｂ〜２２０Ｄについても同様に、電源用ケーブルとコネクタ部を設ける。そして、外部電源２１０側には、前記コネクタ部２１６と同様の端子配置のコネクタ部２１６´を設ける。このような構成とすることで、アプリケータ側の電源ケーブルを外部電源２１０に接続するだけで、簡単にアプリケータの交換が可能である。なお、図示は省略するが、前記電源ケーブルとアプリケータを着脱可能な構成としてもよい。
【００５８】
あるいは、図８(B)に示す例のように、アプリケータ側に一端が接続される電源用ケーブル２１２´を、前記図５に示す例のように、電源ケーブルｃａ，ｃａ´と全ての信号線ｃｂ〜ｃｅを備え、他端に前記コネクタ部２１６に対応する端子配置のコネクタ部２１７を設け、外部電源２１０側のコネクタ部２１６´に接続する構成としてもよい。また、図８(C)に示すように、前記電源用ケーブル２１２´の両端に、コネクタ部２１６，２１７を設け、外部電源２１０側には、コネクタ部２１６´を設けるようにしてもよい。図８(B)に示す例によれば、全てのアプリケータに同一の電源用ケーブル２１２´を使用することができ、図８(C)に示す例によれば、前記電源用ケーブル２１２´を一つのみ用いて複数のアプリケータと外部電源間で付け替えて使用することができる。
【００５９】
(12)前記実施例では、いずれもアプリケータに取手を設けたハンディタイプとしたが、これも一例であり、例えば、ロッド（柄）の先端に設けて使用してもよいし、ロボットや各種加工装置等に取り付けて使用してもよい。
(13)前記実施例２では、外部電源２１０とインターネット２６０で接続可能な端末２５２側の制御部２５４によって、アプリケータに設けたセンサ出力やカメラの撮影画像に基づき最適条件を算出することとしたが、図５に示すように、外部電源２１０側に同様の機能を有する制御部２１８を設けるようにしてもよい。また、前記実施例２で示したセンサの種類や、その出力に基づく制御も一例であり、必要に応じて適宜設計変更可能である。
(14)前記実施例では、対象物同士を接着する例を示したが、接着されている対象物同士を剥がしたり、解体したりするために加熱してもよい。また、本発明は、天井，壁，床等の作業のほか、構造物、建築物全般の床・壁・天井や、トンネル・下水管・橋梁・防音壁等の新設や補修等に適用可能である。特に、実施例２の形態によれば、遠隔指示や遠隔操作が可能であるため、危険作業になる場所・部位等の作業に好適である。
【産業上の利用可能性】
【００６０】
本発明によれば、誘導コイルを備えた複数のアプリケータと、前記誘導コイルに高周波電流を供給する外部電源と、該外部電源と前記アプリケータを接続し、前記外部電源又は前記アプリケータの少なくとも一方と着脱可能な電源用ケーブルと、前記複数のアプリケータのうち、少なくとも一つ以上のアプリケータに設けられた共振コンデンサと、を備えており、前記電源用ケーブルは、前記複数のアプリケータの誘導コイルのうち、消費電力が最大の誘導コイルに足りる電力を供給可能であって、前記共振コンデンサは、該共振コンデンサが設けられているアプリケータの誘導コイルの消費電力に応じて、前記誘導コイルに供給する電力を調整する。このため、複数のアプリケータを使い分ける電磁誘導加熱装置の用途の適用できる。
【００６１】
また、複数のアプリケータの少なくとも一つ以上がセンサ手段又は撮影手段を備えるとともに、電源用ケーブルを電源ケーブルと信号線の複合ケーブルとし、電源側の第１のコネクタ部の電源用端子及び信号用端子の配置を、いずれのアプリケータと接続した場合でも、該アプリケータ側の第２のコネクタ側の電源用端子及び信号用端子と接続する配置とした。このため、各種センサやカメラを搭載したアプリケータを使用するような電磁誘導加熱装置の用途に好適である。
【符号の説明】
【００６２】
１０：外部電源
１２：電源用ケーブル
１４：コネクタ部
２０Ａ〜２０Ｅ：アプリケータ
２２：ケース
２２Ａ，２２Ｂ：主面
２４：取手
２６：加熱ヘッド
２６Ａ：表面
２８：ケース
２９：凹部
３０：表面
３２：スペーサ
３４：樹脂板
３６：キャップ
３６Ａ：側面
３８：凸部
４０Ａ〜４０Ｅ：誘導コイル
４２，４４：端部
４６，４８：リード線
５０Ａ〜５０Ｄ：共振コンデンサ
５２，５４：配線
５６：コネクタ部
６０，６６，６６´：金属板
６２，６８：樹脂板
６４，６５：接着剤
６６Ａ：凹凸
７０：アプリケータ
７２，８２，９２：ケース
７４：誘導コイル
７６：共振コンデンサ
８０，９０：加熱ヘッド
８４，９４：底面
８６：テーパ
８８，９８：側面
９６：曲面
１００：電磁誘導加熱装置
１１０Ａ〜１１０Ｃ：誘導コイル
１１２Ａ〜１１２Ｃ：コア
１１４：巻線
２００：電磁誘導加熱システム
２０２：電磁誘導加熱装置
２１０：外部電源
２１２，２１２´，２１２Ａ：電源用ケーブル
２１４：被膜
２１６，２１６´，２１７：コネクタ部
２１８：制御部
２２０Ａ〜２２０Ｄ，２２０Ａ´：アプリケータ
２２２：ケース
２２４：電源ボタン
２２６：メモリ
２２８Ａ〜２２８Ｄ：誘導コイル
２３０Ａ〜２３０Ｄ：共振コンデンサ
２３２：対象物センサ
２３４：温度センサ
２３６：カメラ
２４０，２４０Ａ〜２４０Ｄ：コネクタ部
２５０：オペレータ
２５２：端末
２５４：制御部
２５６：表示部
２５８：入力部
２６０：インターネット
３００：アプリケータ
３０２：ケース
３０２Ａ：上面
３０２Ｂ，３０２Ｃ：側面
３０４：取手
３０６：電源ボタン
３０８：長穴
３１０Ａ，３１０Ｂ，３１０Ｃ：磁界発生ロール
３１２：回転ロール
３１４：軸
３１６：突起
３１８：誘導コイル
３１９：フェライト板
３２０Ａ，３２０Ｂ：共振コンデンサ
３２２：耐熱性シート
３２４：フェライト
３４０：圧着ローラ
３４４：軸
３５０：長穴
３５２，３５４：スプリング
３６０，３６２：対象物
３６４：接着剤
３６６：金属層
４００：アプリケータ
４０２：ケース
４０２Ａ：上面
４０２Ｂ：底面
４０２Ｃ，４０２Ｄ：側面
４０４：取手
４０６Ａ，４０６Ｂ：誘導コイル
４０８：開口部
４１０：駆動ローラ
４１２：軸
４１４：長穴
ｃａ，ｃａ´：電源ケーブル
ｃｂ〜ｃｅ：信号線
ｔａ，ｔａ´，Ｔａ，Ｔａ´：電源用端子
ｔｂ〜ｔｄ，Ｔｂ〜Ｔｄ：信号用端子
【図１】
2018018650.tif 000003
【図２】
2018018650.tif 000004
【図３】
2018018650.tif 000005
【図４】
2018018650.tif 000006
【図５】
2018018650.tif 000007
【図６】
2018018650.tif 000008
【図７】
2018018650.tif 000009
【図８】
2018018650.tif 000010
【図９】
2018018650.tif 000011